(57)【要約】【課題】  建物等の壁面を比較的短期間で緑化することができ、耐久性もあり、土の断熱性を活かすことができると共に、意匠上も見栄えよく緑化することができる壁面緑化構造体を提供する。【解決手段】  建物等の壁面に複数段にわたり取り付けられた植栽部３と、この植栽部３に植えつけられるつる性植物Ｐのつるを巻き付けて支持する支持部４とを具えると共に、植栽部３は、壁面に沿って取り付けられる背板３０と、背板３０の下部から上向きに拡開状に形成された前板３１と、前板３１と背板３０の両端部隙間を閉塞して形成された側板３２ａ，３２ｂとを有し、これら各板で囲まれた部分がつる性植物Ｐを植栽するための土が入る土受け部３ａに形成し、前板３１の底部付近には、通水孔３１ａを設ける。【選択図】      図２
2007215516.tif 000002
【特許請求の範囲】
【請求項１】
建物等の壁面に複数段にわたり取り付けられた植栽部と、この植栽部に植えつけられるつる性植物のつるを巻き付けて支持する支持部とを具えたことを特徴とする壁面緑化構造体。
【請求項２】
植栽部は、壁面に沿って取り付けられる背板と、該背板の下部から上向きに拡開状に形成された前板と、該前板と背板の両端部隙間を閉塞して形成された側板とを有し、これら各板で囲まれた部分がつる性植物を植栽するための土が入る土受け部に形成されている請求項１に記載の壁面緑化構造体。
【請求項３】
前板の底部付近には、通水孔が設けられている請求項２に記載の壁面緑化構造体。
【請求項４】
支持部は、建物等の壁面に縦横に複数個突設されたブラケットの先端部間にわたり取り付けられている請求項１ないし３のいずれかに記載の壁面緑化構造体。
【請求項５】
支持部は、植栽部から所定間隔離間して配置され、その間隙が上下に通気する通気スペースに形成されている請求項１ないし４のいずれかに記載の壁面緑化構造体。
【請求項６】
植栽部は、背板同士が上下に複数個連なったユニットパネル体に形成されている請求項２ないし５のいずれかに記載の壁面緑化構造体。
面緑化構造体。
【請求項７】
ユニットパネル体は、建物等の外壁面を兼用する請求項６に記載の壁面緑化構造体。
【請求項８】
最上段の植栽部に給水する給水手段が設けられている請求項３ないし７のいずれかに記載の壁面緑化構造体。
【発明の詳細な説明】
【技術分野】
【０００１】
この発明は、建物等の壁面を植物で緑化するための壁面緑化構造体に関するものである。
【背景技術】
【０００２】
従来、この種の建物等の壁面緑化に関する構造体として、例えば、ヤシマット上に、水蘚、バーミュキュライト、ピートモス、麦岩石、泥炭、くん炭、バーク、土などを単体又は混合体で被覆し、天然ゴムを吹付して固定した固化培土を作成し、その下面に合成樹脂シート又は不織布を張り付けた植栽状態マットのような、土を含んだパネルを壁面に取り付けるタイプの構造体が既に提案されている（特許文献１参照）。
【０００３】
しかし、このような植栽状態マットでは、固化培土が外部に露出しているので常に紫外線に晒され、天然ゴム成分等が経年変化で劣化し、土等が流出してしまうという問題点があった。また、栽培する植物に給水する場合にも建物外壁の全面を散水する必要があり、給水するのに手間が掛かるという問題点もあった。
【０００４】
このような問題点を解決するべく、例えば、外壁材を介して建物の軸組材に固定される台座付きの支持脚体と、支持脚体の前面に張設支持されるメッシュ状パネル体と支持脚体間に架設係止されるプランターとからなる建物用緑化構造体のような、プランターと格子状パネルを組合わせたタイプの構造体が提案されている（特許文献２参照）。
【０００５】
しかし、このような構造体では、土が流出するおそれは軽減されるが、プランターがメッシュ状パネル体の下端に架設されているので、植物の葉がメッシュ状パネル体の上端まで覆いつくすのに時間が掛かる、つまり壁の全面を緑化するまで時間が掛かるという問題点があった。また、緑化されてもプランターが外部に露出しているため、露出していない場合と比べると紫外線でプランターが劣化したり退色したりし易く、且つ見栄えが悪いという問題点があった。その上、植物の葉で日射を遮ることはできるが、緑化の利点の１つである土の断熱性を活かすという点においても満足のいくものではなかった。
【特許文献１】特開２００３−２３８５５号公報
【特許文献２】特開２００５−１５１８５５号公報
【発明の開示】
【発明が解決しようとする課題】
【０００６】
そこでこの発明は、前記従来のものの問題点を解決し、建物等の壁面を比較的短期間で緑化することができ、耐久性もあり、土の断熱性を活かすことができると共に、意匠上も見栄えよく緑化することができる壁面緑化構造体を提供することを目的とする。
【課題を解決するための手段】
【０００７】
前記課題を解決するために、請求項１に記載の発明は、建物等の壁面に複数段にわたり取り付けられた植栽部と、この植栽部に植えつけられるつる性植物のつるを巻き付けて支持する支持部とを具えたことを特徴とする。
【０００８】
請求項２に記載の発明は、請求項１において、植栽部は、壁面に沿って取り付けられる背板と、該背板の下部から上向きに拡開状に形成された前板と、該前板と背板の両端部隙間を閉塞して形成された側板とを有し、これら各板で囲まれた部分がつる性植物を植栽するための土が入る土受け部に形成されていることを特徴とする。
【０００９】
請求項３に記載の発明は、請求項２において、前板の底部付近には、通水孔が設けられていることを特徴とする。
【００１０】
請求項４に記載の発明は、請求項１ないし３のいずれかにおいて、支持部は、建物等の壁面に縦横に複数個突設されたブラケットの先端部間にわたり取り付けられていることを特徴とする。
【００１１】
請求項５に記載の発明は、請求項１ないし４のいずれかにおいて、支持部は、植栽部から所定間隔離間して配置され、その間隙が上下に通気する通気スペースに形成されていることを特徴とする。
【００１２】
請求項６に記載の発明は、請求項２ないし５のいずれかにおいて、植栽部は、背板同士が上下に複数個連なったユニットパネル体に形成されていることを特徴とする。
【００１３】
請求項７に記載の発明は、請求項６において、ユニットパネル体は、建物等の外壁面を兼用することを特徴とする。
【００１４】
請求項８に記載の発明は、請求項３ないし７のいずれかにおいて、最上段の植栽部に給水する給水手段が設けられていることを特徴とする。
【発明の効果】
【００１５】
この発明は前記のように、建物等の壁面に複数段にわたり取り付けられた植栽部と、この植栽部に植えつけられるつる性植物のつるを巻き付けて支持する支持部とを具えているので、従来のものに比して壁面を比較的短期間で緑化することができる。また、土の断熱性を効果的に活用することができると共に、意匠上も見栄えよく緑化することができる。
【発明を実施するための最良の形態】
【００１６】
この発明の実施の形態を、添付した図面を参照して説明する。
【００１７】
（実施の形態１）
図１〜６は実施の形態１を示し、図１は、建物の一例として示す木造建築の建物Ｈの外壁面Ｗに壁面緑化構造体を取り付けた状態を示す外観図、図２は、壁面緑化構造体の要部を示す拡大断面図、図３は、植栽部を示す斜視図、図４は、支持部の要部を示す図１のＡ部拡大図、図５の（ａ），（ｂ）は、それぞれ支持部の変形例を示す図１のＡ部拡大図、図６は、壁面緑化構造体に植物の一例としてつる性植物を栽培した場合を示した作用説明図である。
【００１８】
これら図面において１は壁面緑化構造体で、この壁面緑化構造体１は、ブラケット２と、植栽部３と、支持部４と、通気スペース５と、給水手段６とから構成され、植栽部３に形成された土受け部３ａに土等を入れて、そこにつる性植物Ｐを栽培し、給水手段６で給水して、支持部４につる性植物Ｐを繁茂させることにより建物等の壁面を緑化する。図１に示すように、建物Ｈの外壁面Ｗには、縦横に所定間隔をおいてブラケット２が複数個外壁面Ｗに対して垂直に（地面に対してほぼ水平向きに）突設されている。これらブラケット２，…，２で囲まれた外壁面Ｗには、植栽部３が上下に複数段にわたり取り付けられている。また、植栽部３に植えられるつる性植物Ｐのつるを巻き付けて支持する支持部４がブラケット２の先端部２ａ，…，２ａ間にわたり外壁面Ｗに平行に取り付けられている。
【００１９】
このブラケット２は、図２で示すように、所定の長さを有する本体２０と、構造材Ｗａから突設して構造材Ｗａに支持された支持プレート２１とから構成され、この支持プレート２１に本体２０が外壁面Ｗを形成する外装材Ｗｂを介してボルト止め固定されている。しかし、支持プレート２１が無くブラケット２の本体２０が、直接外壁面Ｗにビス止めなどで取り付けられていてもよい。つまり、ブラケット２が外壁面Ｗに強固に取り付けられていればよい。また、ブラケット２，２同士の設置間隔は、縦横９１０ｍｍ又は１８２０ｍｍ程度となっている。ただし、この設置間隔の好ましい値は、縦横とも木造建築の場合のモジュールプランの基本単位である９１０ｍｍの倍数に近似していればよく、取り付ける建物が木造建築でないようなモジュールプランの基本単位が９１０ｍｍでない場合は、その基本単位の数の倍数に近似していればよい。
【００２０】
植栽部３は、図３及び図２に示すように、外壁面Ｗに沿って取り付けられる背板３０と、この背板３０の下部から上向きに拡開状に形成された前板３１と、この前板３１と背板３０の両端部隙間を閉塞して形成された略三角形状の側板３２ａ，３２ｂとから構成されている。この実施の形態では、背板３０と前板３１とは、断面略Ｖ字状になるように形成されている。これら各板で囲まれた部分がつる性植物を植栽するための土を入れる土受け部３ａとなる。また、側板３２ａ，３２ｂは、背板３０の左右の端部に垂直に立設され、前板３１の左右の端部を塞ぐように形成されていてもよい。つまり、前板３１と背板３０の両端部の隙間を塞ぐように、少なくとも前板３１と背板３０のどちらか一方に連結して設けられ、土受け部３ａを形成していればよい。前板３１の底部付近である下端近くには、下段の植栽部３に通水するための通水孔３１ａが前板３１の長さ方向に複数個設けられている。この通水孔３１ａは、矩形状に成形されていてもよいし、いくつかの孔が連結した横長の１つの孔になっていてもよい。つまり、通水孔３１ａは、その段の土受け部３ａに溜まった水を、土受け部３ａに収容されている土を流出することなく、下段の土受け部３ａに通水することができる程度の大きさを有していればよい。そして、この植栽部３が、土受け部３ａに植えられたつる性植物の生育の妨げにならない程度にできるだけ近接させて複数段にわたって、前述のブラケット２，…，２で囲まれた外壁面Ｗに取り付けられている。
【００２１】
支持部４は、図４及び図２に示すように、複数の縦格子と複数の横格子からなる格子状体４０で構成されており、外壁面Ｗと平行して、且つ一定距離だけ離間するように前述した所定長さを有するブラケット２の先端部２ａ，…，２ａ間に取り付けられている。この格子状体４０は、あくまでも一例であって、図５（ａ）に示すように、斜め格子からなる格子状体４０’で構成されていてもよく、また、図５（ｂ）で示すように、パンチングメタルなどの有孔パネルからなる格子状体４０”であってもよい。つまり、つる性植物Ｐのつるが巻きつき植物の体を支えることができればよい。
【００２２】
通気スペース５は、植栽部３と支持部４との隙間から構成されている。換言すると、支持部４は、植栽部３から所定間隔外壁面Ｗに平行して離間して配置され、その間隙が壁面緑化構造体１の下端から上端に向けて通気する通気スペース５に形成されている。更に詳述すると、図２に示すように、植栽部３の前板３１の先端から、支持部４の内側まで距離Ｌだけ離間して配置され、その隙間が通気スペース５となっている。この離間距離Ｌは、通気スペース５を断熱空気層と考えると２０ｍｍ〜５０ｍｍ程度が好ましく、植物Ｐの繁殖スペースを考慮すると１００ｍｍ程度が好ましい。つまり、支持部４と植栽部３との離間距離Ｌは、２０ｍｍ〜１００ｍｍ程度が適当で好ましい値といえる。
【００２３】
給水手段６は、最上段の植栽部３に形成された土受け部３ａに給水するできるように、最上段の土受け部３ａの上方に架設されている。この給水手段６は、図６に示すように、給水管からなり、この給水管に多数の給水孔６ａがその長手方向に穿設されて構成されている。ただし、この給水手段６は、スプリンクラーのようなものでもよく、最上段の土受け部３ａに給水できるものであればよい。このように構成することで、給水をホース等で人の手により行う必要がなくなると共に、最上段の土受け部３ａに給水すれば、各段に設けた植栽部３の通水孔３１ａを通って水が上段の土受け部３ａから下段の土受け部３ａに供給されるので、壁全面を散水することなく簡単に給水することができ、給水の手間が省ける。
【００２４】
また、ブラケット２及び支持部４は、防錆処理を施したアルミやステンレスなどの防錆性能を有する金属材から形成されている。そうすることで、ブラケット２及び支持部４が腐食するのを防ぐことができ、壁面緑化構造体１の耐久性が増す。ただし、これらは、つる性植物Ｐを支えることができ、風圧などに耐えられるだけの剛体から形成されていればよい。植栽部３は、耐水性の高い樹脂から形成されている。しかし、植栽部３を防火性能及び／又は耐火性能を有する材料、例えば、珪酸カルシウムや防火性能を有する合成樹脂などから形成してもよい。そのような材質から形成することで、効果的に外壁面を防火することができるだけでなく、建築基本法やその他の法律・規則等により防火構造としなければならない外壁についても支障なく壁面緑化構造体１を適用することができるからである。
【００２５】
以上の如く構成された壁面緑化構造体１は、図６に示すように、建物などの外壁面Ｗに取り付けられ、多段に設けられた全ての植栽部３の土受け部３ａに土等を入れ、その土受け部３ａにつる性植物Ｐを給水手段６等で給水しながら栽培する。そして、このつる性植物Ｐが離間距離Ｌ以上にわたり成長してその蔓が支持部４の格子状体４０に巻きつくようになるまで繁茂すると、外壁面Ｗの全体が緑化されるので、従来背景で述べた特許文献２に記載された構造体と比べ遥かに早く壁面を緑化することができる。栽培するつる性植物Ｐの具体的な例としては、例えば、ナツヅタ、ヘデラカナリエンシス、アメリカヅタ、クレマチス、つるバラ等が挙げられる。尚、外壁面Ｗの緑化は必要な箇所だけに行なってもよいことは言うまでもない。
【００２６】
そして、土は、熱容量が大きく断熱性が高いものであるから、土受け部３ａに土等を入れた植栽部３を外壁面Ｗに沿って上下に複数段にわたり設置することにより、外壁面Ｗの外側に断熱層が形成されたのと同様の効果が得られることになる。このため、前記のように植栽部３は、つる性植物Ｐの成長を妨げない範囲でなるべく沢山設けた方がこの断熱効果が高くなり好ましい。また、上下に沢山の植栽部３を設けることにより、短期間でより早く壁面を緑化できると共に、植生密度が高くなることで緑化した面が美しくなる。
【００２７】
その上、壁面緑化構造体１は、外側に支持部４が配置され、通気スペース５を介して内側に植栽部３が設けられている二重構造となっているため、外壁面Ｗの凹凸や窓などに関係なく、つる性植物Ｐでフラットで一様な面に緑化することができるので、意匠上も極めて見栄えよく緑化することができる。そして、支持部４とそこで繁茂するつる性植物Ｐの葉等により日射を遮ることができるため、その内側にある植栽部３に紫外線が当たる量が軽減され、植栽部３の耐久性が増す。また、支持部４とそこで茂る植物Ｐの葉により風雨も遮ることができるので、植栽部３の土受け部３ａに収容された土等の流出も防ぐことができる。更に、支持部４付近の日射で暖まった空気が、通気スペース５を通ってつる性植物Ｐの葉などから放出される余分な湿気と共に上昇して壁面緑化構造体１の上端部から通出可能となっているため、つる性植物Ｐの吸放湿性能を妨げずに、外壁面Ｗを効果的に断熱することができる。
【００２８】
（実施の形態２）
図７〜９は実施の形態２を示し、図７は、壁面緑化構造体１’を木造建築の建物Ｈの外壁面Ｗに設置して緑化した状態を示す外観図である。図中、建物Ｈの妻側外壁面には、壁面緑化構造体１’を取り付けてつる性植物Ｐを栽培し緑化した状態を示し、軒下側外壁面には、部分的に支持部４’及びつる性植物Ｐを切断し、内部の植栽部３’を示している。図８は、壁面緑化構造体１’の要部を示す拡大断面図、図９は、植栽部３’を示す斜視図である。この実施の形態２において、実施の形態１と同じ構成には同じ符号にダッシュを付して詳細な説明は省略する。
【００２９】
壁面緑化構造体１’は、実施の形態１の壁面緑化構造体１とは植栽部３’のみ構成が相違している。すなわち、ブラケット２’と、実施の形態１で説明した植栽部がその背板同士が上下に複数個連なったユニットパネル体に形成されている植栽部３’と、支持部４’と、通気スペース５’と、給水手段６’と、から構成されている。そして、壁面緑化構造体１’は、壁面緑化構造体１と同様、建物等の壁面を緑化するのに使用される。
【００３０】
この植栽部３’は、図８，９に示すように、複数の実施の形態１に係る植栽部が背板で上下に複数個連なったユニットパネル体に形成されており、９１０ｍｍ角程度の大きさの平板からなる背板３０’と、この背板３０’の外部面から上向きに拡開状に形成された複数の前板３１’と、これらの前板３１’の左右の端部を塞ぐように背板３０’の左右の縁に垂設された左右２枚の側板３２ａ’，３２ｂ’と、から構成されている。また、各前板３１’の底部付近には、下段の土受け部３ａ’に給水するための複数の矩形状を呈する通水孔３１ａ’が設けられている。そして、実施の形態１と同様に、植栽部３’は、耐水性の高い樹脂から形成されている。また、背板３０’を珪酸カルシウムや防火性能を付加した合成樹脂などから形成し、前板３１’を普通の樹脂から形成することもできる。
【００３１】
このように、この植栽部３’をユニットパネル体に一体に形成することで、植栽部３’を外壁面Ｗにビスや釘等で取り付ける際に、ビスや釘等で固定する箇所が減少するため手間を省くことができる。また、図８に示すように、建物等の外壁面を兼用するように、植栽部３’を外装材Ｗｂと兼用させてもよい。そうすることで、壁の外装材Ｗｂを取り付ける手間を更に省くことができる。
【００３２】
尚、前記実施の形態１，２において、図面で示した部材の形状や構造等は、あくまでも好ましい一例を示すものであり、その実施に際しては特許請求の範囲に記載した範囲内で、任意に設計変更・修正ができるものである。また、壁の一例として木造建築の建物の外壁を挙げて説明したが、これ以外の建物、例えばコンクリート建築の建物（住居用又はオフィス用）の外壁面にも適用できるだけでなく、境界塀や擁壁等の壁面にも適用できることは勿論である。
【００３３】
次に、特許請求の範囲の請求項２以下に記載した発明の特有な効果について説明する。請求項２に記載の発明に係る壁面緑化構造体によれば、前板が外壁面に沿って取り付けられる背板の下部から上向きに拡開状に形成されているので、この傾斜した前板の下面に沿って植物が成長する方向を確実に支持部に誘導することができるため、短期間で偏りなく壁面を緑化することができる。
【００３４】
請求項３に記載の発明に係る壁面緑化構造体によれば、前板の底部付近には、通水孔が設けられているので、最上段の植栽部に給水すれば、徐々に下段に通水することができ、植物に給水する手間が省ける。また、雨などで植栽部に過剰な水が供給されても、通水孔から水が抜けるので、土受け部で栽培する植物が根腐れなどをするのを防止することができる。
【００３５】
請求項４に記載の発明に係る壁面緑化構造体によれば、支持部は、建物等の壁面に縦横に複数個突設されたブラケットの先端部間にわたり取り付けられているので、支持部を強固に取り付けることができる。
【００３６】
請求項５に記載の発明に係る壁面緑化構造体によれば、支持部は、植栽部から所定間隔離間して配置され、その間隙が上下に通気する通気スペースに形成されているので、支持部付近において日射で暖まった空気を、通気スペースを通って壁面緑化構造体の上端部から放出可能となっているため、熱の滞留を防止し、壁面緑化構造体を取り付けた壁を効果的に断熱することができる。
【００３７】
請求項６に記載の発明に係る壁面緑化構造体によれば、植栽部は、背板同士が上下に複数個連なったユニットパネル体に形成されているので、植栽部を壁に取り付ける際、その取り付け作業の手間が省ける。このため、壁面緑化構造体自体の製作コストを削減することができる。
【００３８】
請求項７に記載の発明に係る壁面緑化構造体によれば、ユニットパネル体は、建物等の外壁面を兼用しているので、壁に外装材を取り付ける手間が省けると共に、外装材の費用もコストダウンできる。
【００３９】
請求項８に記載の発明に係る壁面緑化構造体によれば、最上段の植栽部に給水する給水手段が設けられているので、壁全面を散水するようなことせずとも簡単に給水することができ、給水の手間が省ける。
【図面の簡単な説明】
【００４０】
【図１】建物の一例として示す木造建築の建物の外壁面に壁面緑化構造体を取り付けた状態を示す外観図である。
【図２】この発明の実施の形態１に係る壁面緑化構造体の要部を示す拡大断面図である。
【図３】同上の植栽部を示す斜視図である。
【図４】同上の支持部の要部を示す図１のＡ部拡大図である。
【図５】（ａ），（ｂ）は、それぞれ支持部の変形例を示す図１のＡ部拡大図である。
【図６】同上の壁面緑化構造体に、植物の一例としてつる性植物を栽培した場合を示した作用説明図である。
【図７】実施の形態２に係る壁面緑化構造体を建物の外壁面に設置して緑化した状態を示す外観図である。
【図８】同上の壁面緑化構造体の要部を示す拡大断面図である。
【図９】同上の植栽部を示す斜視図である。
【符号の説明】
【００４１】
１  壁面緑化構造体
２  ブラケット
３  植栽部
４  支持部
５  通気スペース
６  給水手段
【図１】
2007215516.tif 000003
【図２】
2007215516.tif 000004
【図３】
2007215516.tif 000005
【図４】
2007215516.tif 000006
【図５】
2007215516.tif 000007
【図６】
2007215516.tif 000008
【図７】
2007215516.tif 000009
【図８】
2007215516.tif 000010
【図９】
2007215516.tif 000011